(57)【要約】      （修正有）【課題】使用寿命を延長できる線形スライドレールを提供する。【解決手段】ガイドレール４０、スライドブロック５０、及び複数の転がり柱ユニット６０を包含し、該ガイドレール４０とスライドブロック５０の間に、複数の転がり柱収容孔５０２、５０３が設けられ、各転がり柱収容孔５０２、５０３はいずれも二つのＶ形溝が共同で構成し、各Ｖ形溝は二つの斜面を有し、該転がり柱ユニット６０の転がり柱はそのうち一つの斜面に対して転がり線接触し、斜面が摩損した後、転がり柱がもう一つの摩損していない斜面を選択して転がり線接触でき、これにより、使用寿命を倍増する効果を達成し、また、該転がり柱の両側端距離中線に、それぞれ長さの異なる第１、第２端面が設けられ、異なる端面を選択して転がり柱収容孔５０２、５０３内に嵌め込むことで、転がり柱とＶ形溝内壁の接触線位置に変動移動を発生させ、これにより、同様に、線形スライドレールの使用寿命を倍増する効果を達成できる。【選択図】図３
0003176868.tif 000002
【実用新案登録請求の範囲】
【請求項１】
使用寿命を延長できる線形スライドレールにおいて、
ガイドレールであって、上部に外側作用辺が設けられ、該外側作用辺上に複数のＶ形溝が設けられ、各Ｖ形溝はいずれも左斜面と右斜面で構成された、上記ガイドレールと、
スライドブロックであって、下部に該ガイドレールの外側作用辺と対向する内側作用辺が凹設され、該内側作用辺に複数のＶ形溝が凹設され、該スライドブロックと該ガイドレールのＶ形溝は相互に対応し且つ共同で複数の転がり柱収容孔を形成し、該スライドブロック内部の各転がり柱収容孔の両側斜角に対応する位置に、それぞれ第１循環孔と第２循環孔が凹設された、上記スライドブロックと、
複数の転がり柱ユニットであって、上述の転がり柱収容孔内に収容され、各該転がり柱ユニットは、複数の円柱形転がり柱を包含し、各該転がり柱の外周は選択的にＶ形溝のそのうち一つの斜面と転がり線接触し、これら転がり柱はＶ形溝の斜面の傾斜角度により選択的に第１或いは第２循環孔内に嵌入する、上記複数の転がり柱ユニットと、
を包含することを特徴とする、使用寿命を延長できる線形スライドレール。
【請求項２】
請求項１記載の使用寿命を延長できる線形スライドレールにおいて、該ガイドレールの外側作用辺は上面と、二つの、該上面の両端より下向きに延伸された側辺面を包含し、該スライドブロックの内側作用辺は内側上面と二つの、該内側上面両端より下向きに延伸された側辺壁面を包含し、該内側上面と該ガイドレールの上面は対向し、二つの該側辺壁面と該ガイドレールの二つの該側辺面は対向し、Ｖ形溝が該ガイドレールの上面と該スライドブロックの内側上面に設置されることを特徴とする、使用寿命を延長できる線形スライドレール。
【請求項３】
請求項１記載の使用寿命を延長できる線形スライドレールにおいて、該Ｖ形溝の左斜面と右斜面の間に夾角が形成されて、該夾角の角度は９０度より大きいことを特徴とする、使用寿命を延長できる線形スライドレール。
【請求項４】
使用寿命を延長できる線形スライドレールにおいて、
ガイドレールであって、上部に外側作用辺が設けられ、該外側作用辺上に複数のＶ形溝が凹設された上記ガイドレールと、
スライドブロックであって、下部に該ガイドレールの外側作用辺と対向する内側作用辺が凹設され、該内側作用辺に複数のＶ形溝が凹設され、該スライドブロックと該ガイドレールのＶ形溝は相互に対応し且つ共同で複数の転がり柱収容孔を画定する、上記スライドブロックと、
複数の転がり柱ユニットであって、それぞれ上述の転がり柱収容孔内に収容され、各転がり柱ユニットは複数の円柱形転がり柱を包含し、各該転がり柱の外周はＶ形溝と転がり線接触して一つの接触線を形成し、各転がり柱の中央に中線が画定され、転がり柱の両端部分に第１端面と第２端面が設けられ、該第１端面と第２端面が設けられ、該第１端面の中線の相対する中線の距離は、該第２端面の相対する中線の距離より長く、該転がり柱は選択的に該第１端面或いは該第２端面を以て該転がり柱収容孔内に収容され、これにより該転がり柱とＶ形溝の接触線位置に変動を発生する、上記複数の転がり柱ユニットと、
を包含することを特徴とする、使用寿命を延長できる線形スライドレール。
【請求項５】
請求項４記載の使用寿命を延長できる線形スライドレールにおいて、該ガイドレールの外側作用辺は上面と、二つの、該上面の両端より下向きに延伸された側辺面を包含し、該スライドブロックの内側作用辺は内側上面と二つの、該内側上面両端より下向きに延伸された側辺壁面を包含し、該内側上面と該ガイドレールの上面は対向し、二つの該側辺壁面と該ガイドレールの二つの該側辺面は対向し、Ｖ形溝が該ガイドレールの上面と該スライドブロックの内側上面に設置されることを特徴とする、使用寿命を延長できる線形スライドレール。
【考案の詳細な説明】
【技術分野】
【０００１】
本考案は一種の線形スライドレールに係り、特に一種の、使用寿命を延長できる線形スライドレールを指す。
【背景技術】
【０００２】
図１を参照されたい。周知の一種の線形スライドレール２０は、ガイドレール２１、スライドブロック２２及び複数の転がり玉２３を有する。該スライドブロック２２の下方にはガイドレール２１を嵌合するための凹溝２２１が設けられ、該ガイドレール２１の上面及び両側辺にそれぞれ複数の転がり溝２１１が設けられ、スライドブロック２２の内部の、各転がり溝２１１に対応し隣接する位置に、循環孔２２２が凹設され、複数の転がり玉２３が転がり溝２１１内に入れられ、さらに対応する循環孔２２２内に進入し循環を構成し、こうして、該スライドブロック２２が該ガイドレール２１上で自由に移動する。
【０００３】
このような線形スライドレール２０の長所は、ガイドレール２１の上面部分にビーズ２３が取り付けられて支持部品とされ、有効にスライドブロック２２上方からの圧力を受け止めることであり、その欠点は、転がり玉２３が点接触を形成する関係で、転がり玉２３と転がり溝２１１の接触面が力を受けて摩損しやすく、使用寿命が長くないことである。
【０００４】
図２を参照されたい。図２に示されるもう一種の周知の線形スライドレール３０は、ガイドレール３１、スライドブロック３２及び複数の転がり柱３３を有する。スライドブロック３２はスライド自在にガイドレール３１上に設けられて線形移動可能で、スライドブロック３２の両側辺部分それぞれに、二つの転がり溝３２１が設けられ、スライドブロック３２内部の二つの転がり溝３２１に対応する側辺部分に、二つの循環孔３２２が凹設され、転がり柱３３が転がり溝３２１に収容された後、さらに対応する循環孔３２２内に進入して循環を形成し、こうして、スライドブロック３２を順調に移動させる効果を達成する。
【０００５】
このような線形スライドレール３０の長所は転がり柱３３が転がり部品とされて、転がり柱３３と転がり溝３２１の間が線接触を呈し、転がり柱３３の積載能力が転がり玉より強く、有効に機械の大重量を受け止めることができ、使用寿命も比較的長いことである。
【０００６】
ただし、その使用上、尚も不十分なところがあり、それは、一般に線形スライドレール３０は長時間の使用の後、或いは、機械に衝突やその他の大きな力の衝撃事故が発生すると、転がり柱３３と転がり溝３２１の接触線が摩損し、一旦転がり溝３２１に摩損現象が発生すると、全体の機械の精度に厳重な誤差が発生し得て、その場合に、使用者は全体の線形スライドレール３０を取り外して交換し、並びに改めて精度を校正しなければならず、相当に時間とコストを消耗し、さらに厳重な場合は全部の機械を廃棄しなければならなくなる。このため、いかに線形スライドレール３０の使用寿命を延長するかは、現在にいたるまで、業者が解決しようとする課題となっている。
【考案の概要】
【考案が解決しようとする課題】
【０００７】
これにより、本考案の目的は、転がり柱の接触線位置を変更することにより、使用寿命の延長を達成する線形スライドレールを提供することにある。
【課題を解決するための手段】
【０００８】
本考案は使用寿命を延長できる線形スライドレールを提供し、それは、第１の態様において、ガイドレール、スライドブロック、及び複数の転がり柱ユニットを包含し、該ガイドレール上部に外側作用辺が設けられ、該外側作用辺上に複数のＶ形溝が設けられ、各Ｖ形溝はいずれも左斜面と右斜面で構成される。該スライドブロックの下部に該ガイドレールの外側作用辺と対向する内側作用辺が凹設され、該内側作用辺に複数のＶ形溝が凹設され、該スライドブロックと該ガイドレールのＶ形溝は相互に対応し且つ共同で複数の転がり柱収容孔を形成し、該スライドブロック内部の各転がり柱収容孔の両側斜角に対応する位置に、それぞれ第１循環孔と第２循環孔が凹設される。複数の該転がり柱ユニットは上述の転がり柱収容孔内に収容され、各該転がり柱ユニットは、複数の円柱形転がり柱を包含し、各該転がり柱の外周は選択的にＶ形溝のそのうち一つの斜面と転がり線接触し、これら転がり柱はＶ形溝の斜面の傾斜角度により選択的に第１或いは第２循環孔内に嵌入する。
【０００９】
本考案は第１の態様において、該転がり柱収容孔が二つのＶ形溝が共同で構成し、各該Ｖ形溝がいずれも二つの斜面を有し、転がり柱ユニットの転がり柱をそのうち一つの斜面と転がり線接触させ、転がり柱は使用中の斜面が摩損した後に、もう一つの摩損していない斜面を選択して転がり線接触可能で、これにより、スライドレールの使用寿命を延長できる。
【００１０】
本考案は使用寿命を延長できる線形スライドレールを提供し、それは、第２の態様において、ガイドレール、スライドブロック及び複数の転がり柱ユニットで構成される。そのうち、該ガイドレール上部に外側作用辺が設けられ、該外側作用辺上に複数のＶ形溝が凹設され、該スライドブロックの下部に該ガイドレールの外側作用辺と対向する内側作用辺が凹設され、該内側作用辺に複数のＶ形溝が凹設され、該スライドブロックと該ガイドレールのＶ形溝は相互に対応し且つ共同で複数の転がり柱収容孔を形成し、該転がり柱ユニットがそれぞれ上述の転がり柱収容孔内に収容され、各転がり柱ユニットは複数の円柱形転がり柱を包含し、各該転がり柱の外周はＶ形溝と転がり線接触して一つの接触線を形成し、各転がり柱の中央に中線が画定され、転がり柱の両端部分に第１端面と第２端面が設けられ、該第１端面と第２端面が設けられ、該第１端面の中線の相対する中線の距離は、該第２端面の相対する中線の距離より長く、該転がり柱は選択的に該第１端面或いは該第２端面を以て該転がり柱収容孔内に収容され、これにより該転がり柱とＶ形溝の接触線位置に変動を発生する。
【００１１】
本考案は使用寿命を延長できる線形スライドレールを提供し、それは、第２の態様において、該転がり柱の両端部分に、一方が長く一方が短い第１端面と第２端面が設けられ、転がり柱に、該第１端面或いは第２端面を選択させて、転がり柱収容孔内に進入させ、転がり柱とＶ形溝内壁の接触線位置に変動を発生させ、これにより、線形スライドレールの使用寿命を倍増させる。
【考案の効果】
【００１２】
本考案は使用寿命を延長できる線形スライドレールを提供し、それは、ガイドレール、スライドブロック、及び複数の転がり柱ユニットを包含し、該ガイドレールとスライドブロックの間に、複数の転がり柱収容孔が設けられ、各転がり柱収容孔はいずれも二つのＶ形溝が共同で構成し、各Ｖ形溝は二つの斜面を有し、該転がり柱ユニットの転がり柱はそのうち一つの斜面に対して転がり線接触し、斜面が摩損した後、転がり柱がもう一つの摩損していない斜面を選択して転がり線接触でき、これにより、使用寿命を倍増する効果を達成し、或いは本考案は、該転がり柱の両側端距離中線に、それぞれ長さの異なる第１、第２端面が設けられ、異なる端面を選択して転がり柱収容孔内に嵌め込むことで、転がり柱とＶ形溝内壁の接触線位置に変動移動を発生させ、これにより、同様に、線形スライドレールの使用寿命を倍増する効果を達成できる。
【図面の簡単な説明】
【００１３】
【図１】周知の線形スライドレールの組合せ断面図である。
【図２】別の周知の線形スライドレールの組合せ断面図である。
【図３】本考案の使用寿命を延長できる線形スライドレールの第１実施例の組合せ断面図であり、本考案がガイドレール、スライドブロック及び複数の転がり柱ユニットを包含することを説明する。
【図４】図３の拡大表示図であり、ガイドレールとスライドブロックの間に、転がり柱を収容する転がり柱収容孔が設けられ、転がり柱収容孔の両側斜角部分に第１循環孔と第２循環孔が設けられ、転がり柱が転がり柱収容孔と第１循環孔内に収容される状況を示す。
【図５】上述の好ましい実施例の平面図であり、該転がり柱ユニットの転がり柱が同じ長さの二つの端面を具えていることを示す。
【図６】上述の好ましい実施例の使用動作図であり、該転がり柱が転がり柱収容孔及び第２循環孔内に取り付けられた状態を示す。
【図７】図６の拡大表示図である。
【図８】本考案の第２実施例の組合せ断面図である。
【図９】本考案の好ましい実施例の平面図であり、本考案が別の転がり柱構造を使用し、該転がり柱の両端部分に長さの異なる第１端面と第２端面が設けられたことを示す。
【図１０】本考案の好ましい実施例の使用動作図であり、該転がり柱の第１端面が下方の転がり柱収容孔内に嵌め込まれた状態を示す。
【図１１】本考案の好ましい実施例の使用動作図であり、該転がり柱の第２端面が下方の転がり柱収容孔内に嵌め込まれた状態を示す。
【図１２】本考案の第３実施例の組合せ断面図である。
【図１３】本考案の好ましい実施例の使用動作図であり、該転がり柱が第１端面を以て上方の転がり柱収容孔内に嵌め込まれた状態を示す。
【図１４】本考案の好ましい実施例の使用動作図であり、該転がり柱が第２端面を以て上方の転がり柱収容孔内に嵌め込まれた状態を示す。
【考案を実施するための形態】
【００１４】
本考案の技術内容、構造特徴、達成する目的を詳細に説明するため、以下に実施例を挙げ並びに図面を組み合わせて説明する。
【００１５】
図３及び図４に示されるように、本考案の使用寿命を延長できる線形スライドレールは、その第１実施例において、ガイドレール４０、スライドブロック５０及び４組の転がり柱ユニット６０を包含する。続いて、上述の構成要件の形状及び空間組合せ形態について、以下に詳細に説明する。
【００１６】
該ガイドレール４０は、断面が矩形状を呈する長尺状軌道であり、その上部に外側作用辺が設けられ、該外側作用辺は上面４１及び、該上面４１の両端より下向きに延伸された二つの側辺面４２を包含する。該上面４１の左右の二カ所に、二つのＶ形溝４３が凹設され、二つのＶ形溝４３にそれぞれ転がり柱ユニット６０が取り付けられる。
【００１７】
各Ｖ形溝４３は左斜面４３１と右斜面４３２で構成され、左斜面４３１と右斜面４３２の間に、夾角（θ）が形成される。該夾角（θ）の角度は９０度より大きく、９０度より大きくする目的は、転がり柱ユニット６０の転がり柱６１がＶ形溝４３のそのうち一つの斜面と接触できるようにし、これにより、転がり柱６１の両端面がもう一つの斜面と摩擦接触を発生しないようにし、これにより、別の斜面の精度の完全性を保持することにある。このほか、該ガイドレール４０は二つの側辺面４２上に二つのＶ形溝４４が凹設されている。
【００１８】
該スライドブロック５０の下部にガイドレール４０の外側作用辺と対向する内側作用辺が設けられ、該内側作用辺は内側上面５１と二つの側辺壁面５２を包含する。内側上面５１とガイドレール４０の上面４１は対向状を呈し、二つの側辺壁面５２とガイドレール４０の側辺面４２が対向状を呈する。内側上面５１の左右二カ所に凹設されたＶ形溝５３、スライドブロック５０とガイドレール４０のＶ形溝５３、４３は相互に上下に対応し且つ共同で二つの転がり柱収容孔５０２を形成する。
【００１９】
スライドブロック５０内部の各転がり柱収容孔５０２の左右両側の斜角部分にはそれぞれ第１循環孔５４と第２循環孔５５が設けられている。このほか、二つの側辺壁面５２に二つのＶ形溝５６が凹設され、スライドブロック５０とガイドレール４０のＶ形溝５６、４４が相互に対応し且つ共同で二つの転がり柱収容孔５０３を画定し、スライドブロック５０内部の該転がり柱収容孔５０３に対応する側辺斜角部分に循環孔５７が凹設される。
【００２０】
４組の転がり柱ユニット６０は、上述の転がり柱収容孔５０２、５０３内に取り付けられ、各一組の転がり柱ユニット６０は、複数の円柱形転がり柱６１が直列に配列されてなる。図５を参照されたい。本実施例中、該転がり柱６１は円柱体構造とされ、その外周に、円弧形に突出状の円弧面６１１があり、各転がり柱６１の中央に、中線Ｍが画定され、転がり柱６１の両端に中線Ｍより同じ長さ（Ｌ）が離れた二つの端面６１２がある。
【００２１】
図４を参照されたい。該転がり柱６１の円弧面６１１は選択的にＶ形溝４３の左斜面４３１と転がり線接触し、転がり柱６１の端面６１２と右斜面４３２は接触せず、間隙Ｉを保持し、さらに、転がり柱６１の左向き或いは右向きの傾斜角度の違いにより、選択的に転がり柱６１が第１循環孔５４或いは第２循環孔５５内に進入して循環を形成する。
【００２２】
以上は、本考案の使用寿命を延長できる線形スライドレールの形状の概要である。続いて、本考案の使用動作及び達成する機能について説明する。
【００２３】
図３、４を共に参照されたい。まず、転がり柱６１の円弧面６１１が選択的にガイドレール４０のＶ形溝４３のそのうち一つの斜面と転がり線接触し、Ｖ形溝４３のもう一つの斜面をアイドル状態となす。さらに転がり柱６１の円弧面６１１の左向き傾斜或いは右向き傾斜の状態により、対応する第１循環孔５４或いは第２循環孔５５内に進入する。こうして、転がり柱ユニット６０の全ての転がり柱６１が順調に転がり柱収容孔５０２内で転がり循環する。
【００２４】
図６、７を参照されたい。転がり柱６１が接触するガイドレール４０のＶ形溝４３の斜面に摩損が発生すると、転がり柱ユニット６０の全ての転がり柱６１は全て交換され、交換後の転がり柱６１はそれ以上、もとの斜面と接触せず、Ｖ形溝４３のもう一つの摩損していない斜面と転がり線接触し、さらに、転がり柱６１は選択的に対応する第１循環孔５４或いは第２循環孔５５に挿入される。これにより、転がり柱ユニット６０はＶ形溝４３上で全く新しい接触線を以て転がり、これにより、使用寿命を二倍に延長する効果を達成する。
【００２５】
本考案はもう一種の交換手段を有する。図８を参照されたい。本考案の線形スライドレールの第２実施例によると、第１実施例と同様に、ガイドレール４０、スライドブロック５０及び複数の転がり柱ユニット７０で構成される。
【００２６】
該ガイドレール４０の側辺面４２及び該スライドブロック５０の側辺壁面５２には二つのＶ形溝４４、５６が凹設され、二つのＶ形溝４４、５６は相互に対応し且つ共同で二つの転がり柱収容孔５０３を画定し、転がり柱ユニット７０の転がり柱７１が収容される。
【００２７】
本実施例の最も特別なところは、該転がり柱ユニット７０が使用するのは、第１実施例と異なる転がり柱７１構造であることである。図９を参照されたい。該転がり柱７１も円柱体構造であり、その外周に、円弧状に突出する円弧面７１１を具え、各転がり柱７１の中央に中線Ｍが画定され、転がり柱７１の両端部分に、第１端面７１２と第２端面７１３が設けられ、該第１端面７１２の中線Ｍからの距離がＬ１とされ、該第２端面７１３の中線Ｍからの距離がＬ２とされ、Ｌ１はＬ２よりも長い。
【００２８】
図１０、図１１を参照されたい。各転がり柱７１の外周円弧面７１１とＶ形溝４４、５６内壁が接触し、接触線Ｐ１（Ｐ２）を形成する。使用者は、転がり柱７１に選択的に第１端面７１２或いは第２端面７１３を以て、転がり柱収容孔５０３内に嵌め込むことができ、これにより、転がり柱７１にＶ形溝４４、５６内壁における接触線Ｐ１（Ｐ２）位置を変動させることができる。
【００２９】
図１０を参照されたい。最初の使用状況において、転がり柱ユニット７０の転がり柱７１は選択的に、第１端面７１２を基準として転がり柱収容孔５０３内に嵌め込まれる。このとき、転がり柱７１の外周の円弧面７１１はＶ形溝４４、５６内壁との間に、接触線Ｐ１を発生し、さらに、転がり柱７１が循環孔５７内に進入し、こうして、転がり柱ユニット７０の全ての転がり柱７１が順調に転がり柱収容孔５０３内で循環し転がる。
【００３０】
図１１を参照されたい。線形スライドレールをある期間使用し、転がり柱７１とガイドレール４０、スライドブロック５０のＶ形溝４４、５６内壁のもとの接触線Ｐ１に摩損が発生すると、使用者は転がり柱ユニット７０の全ての転がり柱７１を交換し、交換後の転がり柱７１の円弧面７１１に、Ｖ形溝４４、５６の内壁と別の新たな接触線Ｐ２を発生させることができる。こうして、転がり柱ユニット７０の全ての転がり柱７１は新たな接触線Ｐ２位置で転がり、これにより、同様に、線形スライドレールの使用寿命を２倍に延長する効果を達成できる。
【００３１】
図１２を参照されたい。本考案は第１実施例と第２実施例の二種類の技術手段を合併し、本考案の第３実施例とすることができ、それは、第１、第２実施例と同様に、ガイドレール４０、スライドブロック５０及び複数の転がり柱ユニット７０を包含する。該ガイドレール４０とスライドブロック５０の間には、複数の転がり柱収容孔５０２が設けられ、スライドブロック５０内部の、転がり柱収容孔５０２に対応する左右両側斜角部分に、第１循環孔５４と第２循環孔５５が設けられる。
【００３２】
図１３、図１４に示されるように、該転がり柱ユニット７０が使用する転がり柱７１の両端には一方が長く、一方が短い第１端面７１２及び第２端面７１３が設けられ、これにより、本実施例は第１循環孔５４、第２循環孔５５の設置を利用し、転がり柱７１に選択的にＶ形溝４３のそのうち一つの斜面と転がり線接触させて、線形スライドレールに寿命を２倍に延長する効果を達成させる。続いて、さらに該転がり柱７１を選択的に第１端面７１２或いは第２端面７１３を以て、異なる方向に転がり柱収容孔５０２内に挿入することで、転がり柱７１とＶ形溝４３内壁の接触線Ｐ１（Ｐ２）位置を変更し、これにより、線形スライドレールの使用寿命をさらに延長することができる。
【００３３】
総合すると、本願の使用寿命を延長できる線形スライドレールは、周知の線形スライドレールの使用寿命が比較的短いという欠点を改善するための技術手段として、ガイドレール４０とスライドブロック５０の間に転がり柱収容孔５０２、５０３を設置し、スライドブロック５０内部の各転がり柱収容孔５０２に対応する左右両側部分に、第１循環孔５４と第２循環孔５５を設け、転がり柱ユニット６０の転がり柱６１に選択的に転がり柱収容孔５０２のそのうち一つの斜面と転がり線接触させ、循環して転がらせ、使用中の斜面に摩損現象が発生した時、転がり柱６１に未磨耗のもう一つの斜面を選択させて転がり線接触させ、該ガイドレール４０とスライドブロック５０を続けて使用可能とし、これにより、使用寿命を２倍に延長する効果を達成する。
【００３４】
このほか、本考案は異なる転がり柱７１構造を使用可能で、該転がり柱７１の両側端に、中線Ｍからの距離が異なる第１端面７１２と第２端面７１３を設け、異なる長さの端面より一方を選択して転がり柱収容孔５０２（５０３）内に嵌め込むことで、転がり柱７１の外周円弧面６１１と転がり柱収容孔５０２（５０３）内壁の間の接触線Ｐ１（Ｐ２）の位置に変動を発生させて、これにより、相容に、使用寿命を２倍に延長する効果を達成する。
【００３５】
且つ、上述の二種類の交換手段は、合併し組み合わせて運用可能であり、本考案はさらに数倍の使用寿命に延長することができる。
【００３６】
上述の技術手段により、本考案は少なくとも線形スライドレールの寿命を２倍に延長でき、本考案は航空工業、自動車工業、金属加工機械及びその他の産業機械上に応用可能であり、これらの機械の使用年限を延長し、これにより、機械の購入コストを有効に節約できる。且つ本考案のガイドレール４０は摩損が発生した状況で、ただ転がり柱６１、７１の接触線位置を変更すればよく、周知の線形スライドレールのように、全体を取り外して並びに交換し新たに校正する必要がなく、このため、本考案の交換作業は周知の技術に較べてスピーディーで便利である。
【００３７】
以上述べたことは、本考案の実施例にすぎず、本考案の実施の範囲を限定するものではなく、本考案の実用新案登録請求の範囲に基づきなし得る同等の変化と修飾は、いずれも本考案の実用新案登録請求範囲のカバーする範囲内に属するものとする。
【符号の説明】
【００３８】
４０  ガイドレール
４１  上面
４２  側辺面
４３  Ｖ形溝
４３１  左斜面
４３２  右斜面
４４  Ｖ形溝
５０  スライドブロック
５０２  転がり柱収容孔
５０３  転がり柱収容孔
５１  内側上面
５２  側辺壁面
５３  Ｖ形溝
５４  第１循環孔
５５  第２循環孔
５６  Ｖ形溝
５７  循環孔
６０  転がり柱ユニット
６１  転がり柱
６１１  円弧面
６１２  端面
７０  転がり柱ユニット
７１  転がり柱
７１１  円弧面
７１２  第１端面
７１３  第２端面
【図１】
0003176868.tif 000003
【図２】
0003176868.tif 000004
【図３】
0003176868.tif 000005
【図４】
0003176868.tif 000006
【図５】
0003176868.tif 000007
【図６】
0003176868.tif 000008
【図７】
0003176868.tif 000009
【図８】
0003176868.tif 000010
【図９】
0003176868.tif 000011
【図１０】
0003176868.tif 000012
【図１１】
0003176868.tif 000013
【図１２】
0003176868.tif 000014
【図１３】
0003176868.tif 000015
【図１４】
0003176868.tif 000016